(57)【要約】    【課題】水跳ね防止プレートの上縁の高さを任意に設定できるとともに、身体、手や腕が水跳ね防止プレートに触れて衝撃が加わっても簡単に外れることのないようにした水跳ね防止具を提供する。    【解決手段】上端にプレート引出し口(10B)が形成されケース(10)の前面をシンク(51)前縁側の内壁面に磁着し、横幅が洗い作業をしている人の腹部の横幅よりも少し短い寸法を有する水跳ね防止プレート(20,21)をケースのプレート引出し口から引出し得るようにケース内に差し込み、水跳ね防止プレートをプレート引出し口から引き出したときに磁石プレート(30,31)によって水跳ね防止プレートを磁着して水跳ね防止プレートをケースに対して任意の高さに保持し、シンクから跳ねた水を受け得るように起立させる。【選択図】  図１
2007185422.tif 000002
【特許請求の範囲】
【請求項１】
流し台のシンク前縁側に設けられ、上記シンクから跳ねた水が洗い作業をしている人に向けて飛散するのを防止する流し台の水跳ね防止具であって、
上端にプレート引出し口が形成されたケースと、
上記シンク前縁側の内壁面に粘着又は磁着され、上記ケースの前面を上記シンク前縁側に保持する取付けベースと、
横幅が洗い作業をしている人の腹部の横幅よりも少し短い寸法を有し、上記ケースのプレート引出し口から引出し得るように上記ケース内に差し込まれ、上記プレート引出し口から引き出されたときに上記シンクから洗い作業をしている人に向けて跳ねた水を受け得るように起立される水跳ね防止プレートと、
上記ケース内に設けられ、上記水跳ね防止プレートを磁着することによって該水跳ね防止プレートを上記ケースに対して任意の高さに保持する磁石プレートと、
を備えたことを特徴とする流し台の水跳ね防止具。
【請求項２】
上記水跳ね防止プレート及び磁石プレートの両側部分にはＵ字状のスライドガイド部が形成され、上記磁石プレートのスライドガイド部と上記水跳ね防止プレートのスライドガイド部が相互にスライドし得るように嵌め合わされている請求項１記載の流し台の水跳ね防止具。
【請求項３】
上記ケース内の前面又は後面には第１の磁石プレートが取付けられ、該第１の磁石プレートとケース内の後面又は前面との間には第２の磁石プレートを挟持した複数枚の水跳ね防止プレートが差し込まれており、上記複数枚の水跳ね防止プレート及び磁石プレートが上下にスライドされることによって最上段の水跳ね防止プレートの上端が任意の高さに設定し得るようになっている請求項１又は２記載の流し台の水跳ね防止具。
【請求項４】
上記水跳ね防止プレート及び磁石プレートの各々には第２のスライドガイド部が上下方向に延びて形成され、上記水跳ね防止プレートの第２のスライドガイド部と上記磁石プレートの第２のスライドガイド部とが相互にスライド自在に嵌め合わされることにより、上記水跳ね防止プレート及び磁石プレートの上下スライドが相互にガイドされるようになっている請求項１ないし３のいずれかに記載の流し台の水跳ね防止具。
【請求項５】
上記水跳ね防止プレート及び磁石プレートにはその両側部分に合成樹脂製の滑り部が設けられている請求項１ないし４のいずれかに記載の流し台の水跳ね防止具。
【請求項６】
上記水跳ね防止プレート及び磁石プレートがパンチングプレートによって構成されている請求項１ないし５のいずれかに記載の流し台の水跳ね防止具。
【請求項７】
上記ケースの底面には１又は複数の水抜き穴が形成されている請求項１記載の流し台の水跳ね防止具。
【請求項８】
上記水跳ね防止プレートの横幅が２０ｃｍ〜３５ｃｍの範囲から選ばれる寸法となっている請求項１記載の流し台の水跳ね防止具。
【請求項９】
上記取付けベースが上記ケースの前面を上記シンク前縁側の内壁面に磁着する磁石体で構成されている請求項１記載の流し台の水跳ね防止具。
【請求項１０】
上記取付けベースが断面匚状の両先端に抜け止め部を折り曲げ形成した形状をなし、上記シンクの前縁側の内壁面に粘着され、
上記ケースの前面には上記取付けベースの側面開口から挿入可能な取付けブラケットが設けられている請求項１記載の流し台の水跳ね防止具。
【請求項１１】
上記取付けベース内面には上記取付けブラケットを磁着する磁石体が固着されている請求項１０記載の流し台の水跳ね防止具。
【請求項１２】
上記シンク前縁側の内壁面に粘着され、磁石によって磁着され得る磁着プレートを更に備えた請求項１記載の流し台の水跳ね防止具。
【発明の詳細な説明】
【技術分野】
【０００１】
本発明は流し台の水跳ね防止具に関し、特に水跳ね防止プレートの上縁の高さを任意に設定できるとともに、身体、手や腕が水跳ね防止プレートに触れて衝撃が加わっても簡単に外れることのないようにした水跳ね防止具に関する。
【背景技術】
【０００２】
例えば、泥のついた野菜、あるいは使い終わったスプーン、箸、皿、碗、鍋などの食器類は飲食店の調理場や家庭の台所に設置された流し台で洗うのが一般的である。通常、流し台では凹状のシンクに水をためて野菜や食器類を洗うような構造となっている（特許文献１）。
【０００３】
しかし、野菜や食器類を洗っているときに、シンクの水が跳ねて衣服や床面を濡らすことがあった。
【０００４】
これに対し、水跳ね防止プレートの背面側に固定用プレートを間隔をあけて固定し、水跳ね防止プレートと固定用プレートとの間にシンク前縁側の部分を挟持するようにした水跳ね防止具（特許文献２）、水跳ね防止プレートを固定プレートにスライド自在に取付けるとともにばね部材によって付勢してスライド位置を保持させ、固定プレートを吸盤によってシンクの前縁の壁面に取付けるようにした水跳ね防止具（特許文献３）、などが提案されている。
【０００５】
【特許文献１】特開平０５−１１１４１０号公報
【特許文献２】特開２００４−２５５１４１号公報
【特許文献３】実用新案登録第３０５９９３１号公報
【発明の開示】
【発明が解決しようとする課題】
【０００６】
しかし、特許文献２記載の水跳ね防止具では水跳ね防止プレートの上縁の高さを調整することができず、洗い作業をする人の背丈が低い場合には水跳ね防止プレートが邪魔になることがあった。
【０００７】
他方、特許文献３記載の水跳ね防止具ではシンク前縁の壁面に吸盤で固定するようにしているので、身体、手や腕が水跳ね防止プレートに触れて衝撃が加わると、簡単に外れてしまうおそれがあった。
【０００８】
本発明はかかる問題点に鑑み、水跳ね防止プレートの上縁の高さを任意に設定できるとともに、身体、手や腕が水跳ね防止プレートに触れて衝撃が加わっても簡単に外れることのないようにした流し台の水跳ね防止具を提供することを課題とする。
【課題を解決するための手段】
【０００９】
そこで、本発明に係る流し台の水跳ね防止具は、流し台のシンク前縁側に設けられ、上記シンクから跳ねた水が洗い作業をしている人に向けて飛散するのを防止する流し台の水跳ね防止具であって、上端にプレート引出し口が形成されたケースと、上記シンク前縁側の内壁面に粘着又は磁着され、上記ケースの前面を上記シンク前縁側に保持する取付けベースと、横幅が洗い作業をしている人の腹部の横幅よりも少し短い寸法を有し、上記ケースのプレート引出し口から引出し得るように上記ケース内に差し込まれ、上記プレート引出し口から引き出されたときに上記シンクから洗い作業をしている人に向けて跳ねた水を受け得るように起立される水跳ね防止プレートと、上記ケース内に設けられ、上記水跳ね防止プレートを磁着することによって該水跳ね防止プレートを上記ケースに対して任意の高さに保持する磁石プレートと、を備えたことを特徴とする。
【００１０】
本発明の特徴の１つは流し台のシンク前縁の内壁面にケースの前面を磁着又は粘着し、ケースに水跳ね防止プレート及び磁石プレートを差し込み、水跳ね防止プレートを上方にスライドさせて磁石プレートに磁着させることにより、水跳ね防止プレートのスライド位置を保持させるようにした点にある。
【００１１】
これにより、水跳ね防止プレートを、洗い作業をする人の背丈に応じた高さに設定できるので、シンクから跳ねた水が水跳ね防止プレートに当たってシンク側に流れ、洗い作業をしている人の衣服を濡らしたり床面を濡らしたりすることはなく、しかも水跳ね防止プレートが洗い作業の邪魔になることもない。
【００１２】
また、ケースの前面を取付けベースによって流し台のシンク前縁の壁面に磁着又は粘着させるようにしているので、水跳ね防止プレートに身体、手や腕が水跳ね防止プレートに触れて衝撃が加わっても、吸盤で水跳ね防止プレートを固定する場合のようにケースがシンク壁面から簡単に外れるということはない。
【００１３】
水跳ね防止プレートの上下スライドはケースによって案内されるので、水跳ね防止プレート及び磁石プレートは平坦な板状としてもよいが、水跳ね防止プレートを上下方向に円滑にスライドさせる上で、水跳ね防止プレート及び磁石プレートの両側部分にはＵ字状のスライドガイド部を形成し、磁石プレートのスライドガイド部と水跳ね防止プレートのスライドガイド部を相互にスライドし得るように嵌め合わせるのがよい。
【００１４】
また、水跳ね防止プレートは１枚でもよいが、水跳ね防止プレートの上縁の高さを細かく設定できるようにする上で、複数枚の水跳ね防止プレートを用いるのがよい。即ち、ケース内の前面又は後面には第１の磁石プレートを取付け、第１の磁石プレートとケース内の後面又は前面との間には第２の磁石プレートを挟持した複数枚の水跳ね防止プレートを差し込み、複数枚の水跳ね防止プレート及び磁石プレートを上下にスライドさせることによって最上段の水跳ね防止プレートの上縁を任意の高さに設定し得るように構成するのが好ましい。
【００１５】
また、水跳ね防止プレートを上下に円滑にスライドさせる上で、各々には第２のスライドガイド部を上下方向に延びて形成し、水跳ね防止プレートの第２のスライドガイド部と磁石プレートの第２のスライドガイド部とを相互にスライド自在に嵌め合わせることにより、水跳ね防止プレート及び磁石プレートの上下スライドを相互にガイドするように構成するのがよい。
【００１６】
さらに、水跳ね防止プレートを上下に円滑にスライドさせる上で、水跳ね防止プレート及び磁石プレートの両側部分には合成樹脂製の滑り部を設けるのがよい。
【００１７】
また、水跳ね防止プレート及び磁石プレートは無孔のプレートとしてもよいが、軽量化の観点から、水跳ね防止プレート及び磁石プレートはパンチングプレートで構成されるのがよい。さらに、ケースの底面には１又は複数の水抜き穴を形成するのがよい。
【００１８】
取付けベースはケースの前面をシンク内壁面に取付けることができればよい。例えば、取付けベースはケースの前面をシンク前縁側の内壁面に磁着する磁石体で構成されることができる。
【００１９】
また、取付けベースは断面匚状の両先端に抜け止め部を折り曲げ形成した形状となし、シンクの前縁側の内壁面に粘着する一方、ケースの前面には上記取付けベースの側面開口から挿入可能な取付けブラケットを設けるようにすることもできる。この場合、さらに取付けベース内面に取付けブラケットを磁着する磁石体を固着するようにしてもよい。
【００２０】
シンクによっては磁石に磁着されない材質で製造されていることがある。かかる場合にはケースを磁着することができないことから、磁石によって磁着され得る磁着プレートをシンク前縁側の内壁面に粘着するようにするのがよい。
【００２１】
ケースはその構造に特徴があるので、材質については特に限定されない。例えば、合成樹脂材料や金属材料で製作されることができる。また、ケースは磁石プレートの磁力を利用してシンク前縁の内壁面に磁着させるようにしてもよいが、より確実に磁着させる上で、ケースの外側前面に磁石を設けるのがよい。
【００２２】
水跳ね防止プレートは磁石によって磁着され得ることが重要である。この場合、水跳ね防止プレートは磁着され得る材質の小片を前外面に固着するようにしてもよいが、より確実に磁着させる上で、全体を磁着され得る材料、例えば鉄板（クロムなどをコーティングしてもよい）で製作するのがよい。
【００２３】
また、磁石プレートは磁石小片を鉄板などに固着して構成してもよいが、水跳ね防止プレートをよく確実に磁着する上で、プレート全体を磁石で構成するのがよい。
【００２４】
流し台は凹状のシンクを備えたものであれば、構造や形状は限定されない。但し、シンクの前縁の内壁面には磁着しえる部分が設けられていることが重要である。この場合、シンク自体が磁着しえる材料で製作されてもよく、又シンク前縁の内壁面に磁着され得る小片を固定して構成するようにしてもよい。
【００２５】
水跳ね防止プレートの横幅は特に限定されないが、本件発明者らの試作及び実験によれば、２０ｃｍ〜３５ｃｍの範囲、好ましくは２５ｃｍ〜３０ｃｍの範囲から選ばれる横幅があれば水跳ねを十分に防止できることが確認された。
【発明を実施するための最良の形態】
【００２６】
以下、本発明を図面に示す具体例に基づいて詳細に説明する。図１ないし図１１は本発明に係る流し台の水跳ね防止具の好ましい実施形態を示す。本例の水跳ね防止具は基本的にはケース１０、第１、第２の水跳ね防止プレート２０、２１及び第１、第２の磁石プレート３０、３１から構成されている。
【００２７】
ケース１０は図４及び図５に示されるように、クロムめっき処理した厚さ１ｍｍの鉄板を用いて製作され、横幅２２２ｍｍ、高さ１０５ｍｍ、厚み１６ｍｍの四角形ボックス状に製造されるとともに、外表面には塩化ビニル樹脂の被膜１０Ａがコーティングされ、又ケース１０の上端面は開放されてプレート引出し口１０Ｂが形成され、又ケース１０の両側部分１０Ｆは断面円弧状に形成され、両側部分１０Ｆの上端部に抜止め用のテーパー部分１０Ｃが形成され、又ケース１０の底面には複数の水抜き孔１０Ｄが横幅方向に間隔をあけて形成されている。
【００２８】
このケース１０の外側前面には磁石帯（取付けベース）１０Ｅが横幅方向のほぼ全長にわたって延びかつ上下に間隔をあけて接着剤又は両面粘着気テープなどによって固定され、又ケース１０の内側背面には四角形状の第１の磁石プレート３０が接着剤又は両面粘着テープなどによって固定されている。
【００２９】
なお、磁石帯１０Ｅは短い長さの磁石片を横幅方向に間隔をあけてレイアウトして接着又は粘着するようにしてもよく、又１又は複数枚の磁石プレートをケース１０の外側前面を覆うように接着又は粘着するようにしてもよい。さらに、磁石帯１０Ｅは磁石の磁着を利用してケース１０に固着することもできる。
【００３０】
ケース１０内には第１、第２の水跳ね防止プレート２０、２１がその間に第２の磁石プレート３１を挟んだ状態でプレート引出し口１０Ｂから引出し得るように差し込まれている。
【００３１】
第１の水跳ね防止プレート２０は図６及び図７に示されるように、クロムめっき処理した厚さ１ｍｍの鉄板製のパンチングプレートを用いて横幅２１０ｍｍ、高さ１００ｍｍの四角形状に製造されるとともに、両側部分には円弧状のスライドガイド部２０Ａが形成されている。
【００３２】
この第１の水跳ね防止プレート２０の両側のスライドガイド部２０Ａの上端部には抜止め用のテーパー部分２０Ｂが形成され、下端部には抜止め用の横幅の拡大部２０Ｃが形成され、又スライドガイド部２０Ａの横幅方向の内方には断面凵状の第２のスライドガイド部２０Ｄが上端から下端部直上まで延びて折り曲げ形成され、さらに第１の水跳ね防止プレート２０の底辺部分及びスライドガイド部２０Ａの外表面には塩化ビニル樹脂の被膜２０Ｅがコーティングされている。
【００３３】
第２の水跳ね防止プレート２１は図８及び図９に示されるように、クロムめっき処理した厚さ１ｍｍの鉄板製のパンチングプレートを用いて製作され、横幅２００ｍｍ、高さ１０５ｍｍの四角形状に製造されるとともに、両側部分には円弧状のスライドガイド部２１Ａが形成され、又上端縁には水返し機能を有する把持部２１Ｂが背面側に折り曲げて形成され、把持部２１Ｂの両端部は横方向に少し突設され、ケース１０のプレート引出し口１０Ｂ内に落ち込まないようになっている。
【００３４】
また、第２の水跳ね防止プレート２１の両側のスライドガイド部２１Ａの下端部には抜止め用の横幅の拡大部２１Ｃが形成され、又スライドガイド部２１Ａの横幅方向の内方には断面凵状の第２のスライドガイド部２１Ｄが下端から上端部近くまで延びて折り曲げ形成され、又第２の水跳ね防止プレート２１の上辺部分及びスライドガイド部２１Ａの外表面には塩化ビニル樹脂の被膜２１Ｅがコーティングされている。
【００３５】
第１、第２の水跳ね防止プレート２０、２１の間には第２の磁石プレート３１が挟持されている。この第２の磁石プレート３１は図１０及び図１１に示されるように厚さ１ｍｍの磁石材料製のパンチングプレートを用いて製作され、横幅２０２ｍｍ、高さ１００ｍｍの四角形状に製造されるとともに、両側部分には円弧状のスライドガイド部３１Ａが形成されている。
【００３６】
また、第２の磁石プレート３１の両側のスライドガイド部３１Ａの上端部には抜止め用のテーパー部分３１Ｂが形成され、下端部には抜止め用の横幅の拡大部３１Ｃが形成されている。さらに、スライドガイド部３１Ａの横幅方向の内方には断面凵状の第２のスライドガイド部３１Ｄが上端から下端まで延びて折り曲げ形成され、又第２の磁石プレート３１のスライドガイド部３１Ａの外表面には塩化ビニル樹脂の被膜３１Ｅがコーティングされている。
【００３７】
この第２の磁石プレート３１を挟持した第１、第２の水跳ね防止プレート２０、２１はケース１０内にプレート引出し口１０Ｂから引出し自在に差し込まれ、第１の水跳ね防止プレート２０の第２のスライドガイド部２０Ｄが第２の磁石プレート３１の第２のスライドガイド部２０Ｄにスライド自在に嵌め合わされ、第２の磁石プレート３１の第２のスライドガイド部２０Ｄが第２の水跳ね防止プレート２１の第２のスライドガイド部２１Ｄにスライド自在に嵌め合わされている。
【００３８】
本例の水跳ね防止具を使用しない場合、第１、第２の水跳ね防止プレート２０、２１及び第２の磁石プレート３１は下方にスライドされてケース１０内に収容され、第２の水跳ね防止プレート２１の把持部２１Ｂがケース１０のプレート引出し口１０Ｂ直上に出ているだけであり、非常にコンパクトな大きさであり、保管に便利である。
【００３９】
流し台５０の凹状のシンク５１に本例の水跳ね防止具をセットする場合、図１に示されるように、ケース１０の外側前面の磁石帯１０Ｅをシンク５１の前縁側の内壁面に磁着させる。流し台５０の材質によってはケース１０の磁石帯１０Ｅをシンク５１に磁着できないことがある。かかる場合には磁着可能な鉄プレート（磁着プレート）を両面粘着テープを用いてシンク５１の前縁側の内壁面に粘着し、鉄プレートにケース１０の磁石帯１０Ｅを磁着させるようにする。
【００４０】
こうして水跳ね防止具をシンク５１にセットできると、第２の水跳ね防止プレート２１の把持部２１Ｂを持って上方に引っ張ると、第２の水跳ね防止プレート２１、第２の磁石プレート３１及び第１の水跳ね防止プレート２０の各々が上方にスライドしながらケース１０から引き出され、第２の水跳ね防止プレート２１の把持部２１Ｂを洗い作業をする人の背丈に応じた適切な高さにすることができる。
【００４１】
このとき、第１、第２の水跳ね防止プレート２０、２１は共に第２の磁石プレート３１に磁着され、第１の水跳ね防止プレート２０はケース１０内の第１の磁石プレート３０に磁着されるので、第１、第２の水跳ね防止プレート２０、２１及び第２の磁石プレート３１を任意のスライド位置に保持することができ、最上段である第２の水跳ね防止プレート２１の把持部２１Ｂを任意の高さに設定してその状態に保持することができる。
【００４２】
こうして第１、第２の水跳ね防止プレート２０、２１及び第２の磁石プレート３１を上方にスライドさせて起立させると、シンク５１から洗い作業をしている人に向けて水が跳ねても、この水は第１、第２の水跳ね防止プレート２０、２１又は第２の磁石プレート３１に当たって飛散が阻止されるので、衣服や床面が濡れることはない。
【００４３】
また、第１、第２の磁石プレート３０、３１及び磁石帯１０Ｅによってシンク５１、ケース１０、第１、第２の水跳ね防止プレート２０、２１及び第２の磁石プレート３１を磁着しているので、手や腕が当たっても水跳ね防止具がシンク５１から外れることはあまりない。
【００４４】
図１２は第２の実施形態を示し、図において図１ないし図１１と同一符号は同一又は相当部分を示す。本例では取付けベース６０と取付けブラケット６１を用いて水跳ね防止具をシンク５１に取付けるようにしている。
【００４５】
取付けベース６０は断面匚状の本体６０Ａの両先端に抜け止め部６０Ｂを折り曲げ形成した形状で、かつ取付けブラケット６１の横幅よりも長い横幅に製作され、取付けベース６０は粘着剤、例えば両面粘着テープによってシンク５１の前縁側の内壁面に粘着されるようになっている。
【００４６】
他方、取付けブラケット６１はケース１０の前面に粘着剤、例えば両面粘着テープによってケース１０の前面に粘着され、取付けブラケット６１は上縁及び下縁にＬ字状の係止片６１Ａが形成されている。
【００４７】
この取付けブラケット６１は取付けベース６０の側面開口から挿入され、係止片６１Ａが取付けベース６０の抜け止め部６０Ｂによって前方への抜け止めが行われることにより取付けベース６０に取付けられるようになっている。
【００４８】
また、取付けベース６０内面には磁石プレート（磁石体）６２が磁着されており、この磁石プレート６２が取付けブラケット６１を磁着してその横方向のスライド位置を保持するようになっている。
【００４９】
従って、取付けベース６０をシンク５１内面の適切な箇所に粘着し、ケース１０を横方向にスライドさせることによって任意の場所に水跳ね防止具をセットできる。
【図面の簡単な説明】
【００５０】
【図１】本発明に係る流し台の水跳ね防止具の好ましい実施形態を示す概略図である。
【図２】上記実施形態における第１、第２の水跳ね防止プレート及び第２の磁石プレートを引き出した状態を示す正面斜視図である。
【図３】上記実施形態における第１、第２の水跳ね防止プレート及び第２の磁石プレートを引き出した状態を示す背面斜視図である。
【図４】上記実施形態におけるケースの構造例を示す正面構成図である。
【図５】上記ケースを示す一部平面図である。
【図６】上記実施形態における第１の水跳ね防止プレートの構造例を示す正面構成図である。
【図７】上記第１の水跳ね防止プレートを示す一部平面図である。
【図８】上記実施形態における第２の水跳ね防止プレートの構造例を示す正面構成図である。
【図９】上記第２の水跳ね防止プレートを示す一部平面図である。
【図１０】上記実施形態における第２の磁石プレートの構造例を示す正面構成図である。
【図１１】上記磁石プレートを示す一部平面図である。
【図１２】第２の実施形態を示す概略斜視図である。
【符号の説明】
【００５１】
１０      ケース
１０Ｂ    プレート引出し口
１０Ｅ    磁石帯（取付けベース）
２０      第１の水跳ね防止プレート
２０Ａ    スライドガイド部
２０Ｄ    第２のスライドガイド部
２１      第２の水跳ね防止プレート
２１Ａ    スライドガイド部
２１Ｄ    第２のスライドガイド部
３０      第１の磁石プレート
３１      第２の磁石プレート
３１Ａ    スライドガイド部
３１Ｄ    第２のスライドガイド部
６０      取付けベース
６１      取付けブラケット
【図１】
2007185422.tif 000003
【図２】
2007185422.tif 000004
【図３】
2007185422.tif 000005
【図４】
2007185422.tif 000006
【図５】
2007185422.tif 000007
【図６】
2007185422.tif 000008
【図７】
2007185422.tif 000009
【図８】
2007185422.tif 000010
【図９】
2007185422.tif 000011
【図１０】
2007185422.tif 000012
【図１１】
2007185422.tif 000013
【図１２】
2007185422.tif 000014